(57)【要約】【課題】高層集合住宅等の建物における排水管のクリーニングにおいて、横配管の接続部分である分岐管の曲がり部分を削り取らないようにすること、及び清掃中に封水が破れて悪臭が漏れるのを防止すること。【解決手段】高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、前記縦配管は、最上部階層から最下部階層までホースを挿入して、正噴射ノズルから高圧水を噴射させて最下部階層から順次最上部階層に向かってクリーニングし、各階層毎に前記縦配管に近い順に前記横配管を分岐管をわずかに越えた部分までを逆噴射ノズルから高圧水を噴射させてクリーニングし、各階層は、最下部階層から順次順次最上部階層に向かってクリーニングするようにしたことによって、特に、横配管の清掃において、ホースが横配管の接続部分である分岐管の曲がり部分の内側に擦れるのを極力減少させることができ、それによって、曲がり部分の内側を削り取ったりすることなくクリーニングできるし、縦配管内の排水の流れが最下部階層から順次スムーズに行われるようになることから、清掃中に上層階における封水が破れない。【選択図】　図１
2004116137.tif 000002
【特許請求の範囲】
【請求項１】
高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、
前記縦配管は、最上部階層から最下部階層までホースを挿入して、正噴射ノズルから高圧水を噴射させて最下部階層から順次最上部階層に向かってクリーニングし、
各階層毎に前記縦配管に近い順に前記横配管を分岐管をわずかに越えた部分までを逆噴射ノズルから高圧水を噴射させてクリーニングし、
各階層は、最下部階層から順次最上部階層に向かってクリーニングすること
を特徴とする高層集合住宅等の建物における排水管のクリーニング方法。
【請求項２】
前記ホースには、ポリウレタンからなる内側チューブと外側チューブとの間に、繊維のブレード層を有する耐圧ホースを使用すること
を特徴とする請求項１に記載の排水管のクリーニング方法。
【発明の詳細な説明】
【０００１】
【発明の属する技術分野】
本発明は、例えば、マンション等の高層集合住宅等の建造物の内部に配管されている排水管の内部をクリーニングする方法に関するものである。
【０００２】
【従来の技術】
従来、この種の高層集合住宅においては、建物の内部に配管されている排水管の内部を周期的にクリーニングすることが要求されている。この場合の配水管１は、最下部階層から最上部階層まで垂直に配管された縦配管２と、各階層毎に縦配管２から分岐管３を介して横配管４が配管されており、該横配管４に継手管５及び接続管６を介してそれぞれ、例えば、台所のシンクタンク又は洗面所の洗面ボール等の設備が取り付けられている。なお、図示していないが、それぞれの設備は排水トラップを介して取り付けられている。
【０００３】
配水管１のクリーニング作業は、一般的に、図３に示したように、各階層毎に横配管４に接続されている設備の分岐管３に一番近い位置にある設備の排水トラップを取り外して接続管６の開口部を清掃口６ａとし、該清掃口６ａから清掃用具を進入させ、階下の横配管の分岐点までの縦配管２の長さＸを清掃し、順次遠い位置にある設備の排水トラップを取り外して同様に清掃し、横配管４の長さＹを清掃するようにしている。
【０００４】
この場合の清掃用具は、長尺のホース７と、該ホース７の先端部に取り付けられた逆噴射ノズル８とからなるものであり、清掃口６ａから逆噴射ノズル８を挿入しその逆噴射ノズル８の噴射口から高圧の水を噴射させることにより、その高圧の噴射水によって前記ホース７が前進すると共に、高圧の噴射水によって横配管４及び縦配管２の内部に付着している汚れを落としてクリーニングするものである。
【０００５】
このように各階毎に横配管４から縦配管２の階下の分岐点までを順次クリーニングするものであって、このようなホースの先端に逆噴射ノズルを取り付けたクリーニング装置は公知になっている。
例えば、ホースの先端に逆噴射ノズルを取り付け、該ノズルの先端に柄の部分を介して駒支持球を連結し、該駒支持球に複数の中間駒を連接させて配設し、更に中間駒の先端部に先端駒を配設し、これら中間駒と先端駒とを回転自在にした誘導駒を用いた管内洗浄装置である（特許文献１参照）。
【０００６】
また、排水管の内部をクリーニングする場合には、高圧力の水を噴射させなければならないために膨らみを防止すること及び排水管における分岐点での引っ掛かり等を避けるためにホースを捻ったりしてコントロールしなければならないことから、ホース又はチューブに適度の剛性をもたせなければならない。そのためにホース又はチューブの外周面にステンレス線を網代網みした補強材が配設されたブレードホースを使用している（特許文献２参照）。
【０００７】
【特許文献１】
実公昭５９−３９５１１号公報（第１頁）
【特許文献２】
登録実用新案第３００３２９２号公報（第２頁、図１）
【０００８】
【発明が解決しようとする課題】
しかしながら、この種の排水管１には、一般的に、鋼管または硬質の塩化ビニル管を使用しているため、図４に示したように、排水管１は縦配管２と横配管４とからなっており、両者における分岐点、即ち、分岐管３のような曲がり部においては、ホース７自体が剛性を有すること、更にホース７の内部に高圧力の水が導入されているので、前記ホース７が直線状になろうとするため剛性が更にアップし、分岐管３の内側とホース７との当接圧が高くなるのであり、その当接圧が高い状態で分岐管３の内側とホース７とが擦れることにより、該ホース７の網代網みしたステンレス線によって、図５に示したように、その分岐管３の内側の一部が削り取られて孔９が開いてしまうという問題点を有する。
【０００９】
また、図６のように、例えば、クリーニング後に排水管１の内部にエポキシ樹脂を塗布して、エポキシ樹脂の塗膜１０を形成させることによって、小さい孔であれば、塗膜１０によって埋めることはできるが、次のクリーニング作業によって、更に、塗膜１０も一緒に削り取られてしまい、分岐管３の曲がり部の内側に塗膜１０では埋められない程の大きな孔９が開いてしまう（図６参照）。
【００１０】
このように、配水管１に孔９が開いた状態で使用し続けた場合には、該孔９から排水が漏れ出してしまうことになるが、排水管１は、建物の内部に配管されているため、前記孔９が開いていることを気づかないで使用し続け、漏れ出した排水が各階層における駆体面から階下に漏れ出して大変な事態になる。
【００１１】
更に、従来例で使用されている清掃用具は、ホース７の先端に逆噴射ノズル８が設けられたものを使用しており、階下側の横配管４から縦配管２にホース７を挿通してクリーニングを行っているが、縦配管２の汚れが著しいと、逆噴射ノズル８からの高圧水の噴射で、その逆噴射ノズルよりも上部の縦配管２内の圧力が高くなり、上層階の各設備における排水トラップの封水が破れて、上層階においては室内に悪臭が漏れるという不都合がある。
【００１２】
従って、従来の排水管をクリーニングする方法としては、分岐管の曲がり部の内側がホースによって傷つけられまたは削り取られることを防いで、分岐管の曲がり部の内側に孔が開かないようにすること、及び清掃中に上層階における封水が破れないようにすることに解決しなければならない課題を有している。
【００１３】
【課題を解決するための手段】
上記した従来例の課題を解決する具体的手段として本発明においては、高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、前記縦配管は、最上部階層から最下部階層までホースを挿入して、正噴射ノズルから高圧水を噴射させて最下部階層から順次最上部階層に向かってクリーニングし、各階層毎に前記縦配管に近い順に前記横配管を分岐管をわずかに越えた部分までを逆噴射ノズルから高圧水を噴射させてクリーニングし、各階層は、最下部階層から順次最上部階層に向かってクリーニングすることを特徴とする高層集合住宅等の建物における排水管のクリーニング方法を提供するものである。
【００１４】
上記発明において、前記ホースには、ポリウレタンからなる内側チューブと外側チューブとの間に、繊維のブレード層を有する耐圧ホースを使用することを付加的な要件として含むものである。
【００１５】
本発明に係る排水管のクリーニング方法は、まず、縦配管を最下部階層から最上部階層まで正噴射ノズルから高圧水を噴射させてクリーニングし、次に各階層毎に横配管を逆噴射ノズルから高圧水を噴射させて最下部階層から順にクリーニングすることによって、清掃中において各設備の封水を破って悪臭がもれることなく、しかも、縦配管と横配管の接続部分である分岐管の曲がり部分の内側を削り取ったりすることなくクリーニングできるのである。
【００１６】
また、ポリウレタンからなる内側チューブと外側チューブとの間に、繊維のブレード層を有する耐圧ホースを使用することによって、従来と同様のクリーニング方法であっても、排水管をホースによって傷つけることを防ぐことができるのである。
【００１７】
【発明の実施の形態】
次に、本発明を具体的な実施の形態に基づいて詳しく説明する。なお、理解を容易にするため従来例と同一部分には同一符号を付して説明する。
本発明に係る排水管のクリーニング方法は、図１に示したように、高層集合住宅等における建物の内部に配管された配水管１は、縦配管２と各階層毎に分岐管３を介して配管された横配管４とからなるものであって、該横配管４に継手管５及び接続管６を介してそれぞれ、例えば、台所のシンクタンク又は洗面所の洗面ボール等の設備が取り付けられている。なお、図示していないが、それぞれの設備は排水トラップを介して取り付けられている点は従来例と同様である。
【００１８】
このような配水管１に対するクリーニング作業は、まず、縦配管２の最上部階層側から最下部階層まで清掃用具を挿入させ、縦配管２の最下部側から順に清掃するのである。この場合に使用される清掃用具は、前記従来例と同様に長尺の耐圧ホース１１であって、該耐圧ホース１１の先端部には正噴射ノズル１５が取り付けられており、該正噴射ノズル１５から縦配管２の壁面に向けて斜め下方に高圧水を噴射させながら順次引き上げることによって最下部側から順に清掃する。このように縦配管２の下方部分から汚れを落とし、且つ、高圧水が斜め下方に向けて噴射されるので、洗浄水と共に落ちた汚れがスムーズに流下して横主管１６から汚水升（図示せず）を介して排出され、縦配管２内の圧力は高くならないので、各階層における設備の封水が破られることはないのである。なお、横主管１６は、予め外部の汚水升側から清掃しておくことはいうまでもない。
【００１９】
次に、最下部階層の横配管４から清掃を行う。この場合に、分岐管３から一番近い位置にある接続管６の開口部６ａから清掃用具を分岐管３をわずかに越える位置（図示は途中）まで進入させて清掃し、次に二番目に近い接続管６の開口部６ａから清掃用具を同様に進入させて清掃し、順次同様にして、最後に一番遠い位置にある接続管６の清掃口６ａから清掃用具を進入させて分岐管３をわずかに越える位置まで清掃する。この場合に使用される清掃用具は、前記従来例と同様に長尺の耐圧ホース１１であるが、後述するようにホース自体の構成が相違し、且つその耐圧ホース１１の先端部には逆噴射ノズル８が取り付けられており、逆噴射ノズル８からの噴射圧によって汚れを除去しながら進入させるものである。
【００２０】
この場合に、汚れの排出を考慮した時に、最下部階層側から順次清掃作業を行った方が良い。しかしながら、上記したように、既に縦配管２の汚れが除去されているので、最上部階層の横配管４側から順次清掃作業を行っても、縦配管２から汚れが速やかに流下して外部に排出されるのである。いずれにしても、横配管４と縦配管２とを別工程で清掃することによって、分岐管３を傷めることなく効率よく清掃することができる。
【００２１】
使用される清掃用具は、前記従来例と同様に長尺のホースを使用するものであるが、本発明のホースは耐圧ホース１１であって、該耐圧ホース１１の先端部に取り付けられた正噴射ノズル１５または逆噴射ノズル８とからなるものであり、縦配管２の清掃は、正噴射ノズル１５を取り付けた耐圧ホース１１を最上部階層における上端の清掃口から最下部の横主管１６まで挿入した後に高圧水を噴射しながら上方に引き上げて清掃し、横配管４については、各清掃口６ａから逆噴射ノズル８を挿入しその逆噴射ノズル８の噴射口から高圧水を噴射させることにより、その高圧の噴射水によって前記耐圧ホース１１が前進すると共に、高圧の噴射水によって横配管４の内部に付着している汚れを落としてクリーニングするものである。
【００２２】
この耐圧ホース１１は、図２に示したように、ポリウレタンからなる内側チューブ１２の外側に、繊維を編んで形成したスーパー繊維ベクトランブレードを巻き付けてブレード層１３にし、該ブレード層１３の外側にポリウレタンからなる外側チューブ１４を一体的に設けたものである。
【００２３】
このように、耐圧ホース１１は、ポリウレタンからなる内側チューブ１２と外側チューブ１４との間にブレード層１３を有することから、耐圧性が高いので、高圧力の水を送水しても膨らんだり破裂することはないのである。
【００２４】
更に、耐圧ホース１１の外側チューブ１４が、ポリウレタンであるので軟らかく且つ表面が滑面であるため、排水管１の分岐管３または継手管５の曲がり部の内側と当接しても、滑りやすくスムーズに進入するようになり、分岐管３または継手管５を耐圧ホース１１によって傷つけることがないのである。
【００２５】
また、耐圧ホース１１は、ブレード層１３が存在することで適度の硬度または剛性を有しており、排水管１の内部に進入させた状態で捻ったり揺すぶったりすることができ、例えば、逆噴射ノズル８が分岐管３等に引っ掛かったりした時等に、清掃口６ａ側で操作して引っ掛かりを外すことができるのである。
【００２６】
【発明の効果】
以上説明したように、本発明に係る高層集合住宅等の建物における排水管のクリーニング方法は、高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、前記縦配管は、最上部階層から最下部階層までホースを挿入して、正噴射ノズルから高圧水を噴射させて最下部階層から順次最上部階層に向かってクリーニングし、各階層毎に前記縦配管に近い順に前記横配管を分岐管をわずかに越えた部分までを逆噴射ノズルから高圧水を噴射させてクリーニングし、各階層は、最下部階層から順次最上部階層に向かってクリーニングするようにしたことによって、特に、横配管の清掃において、ホースが横配管の接続部分である分岐管の曲がり部分の内側に擦れるのを極力減少させることができ、それによって、曲がり部分の内側を削り取ったりすることなくクリーニングできるという優れた効果を奏する。
【００２７】
また、縦配管は、最下部階層から順次最上部階層に向かって正噴射ノズルを使用して最初にクリーニングされ、且つ高圧水を下方に向かって噴射することによって、縦配管内の排水の流れが最下部階層から順次スムーズに行われるようになることから、清掃中に上層階における封水が破れないのであり、上層階における悪臭の漏れが解消されるという優れた効果を奏する。
【００２８】
更に、清掃用具のホースとして、ポリウレタンからなる内側チューブと外側チューブとの間に、繊維のブレード層を有する耐圧ホースを使用することにより、該耐圧ホースが横配管の接続部分である分岐管の曲がり部分の内側に擦れても、その曲がり部分の内側を削り取ったり傷つけたりすることなくクリーニングすることができるという優れた効果を奏する。
【図面の簡単な説明】
【図１】本発明に係るクリーニング方法の実施の形態を略示的に示した配水管の説明図である。
【図２】同クリーニング方法に使用される清掃用具の耐圧ホースの構成を略示的に示した斜視図である。
【図３】従来技術に関する排水管のクリーニング方法を示す説明図である。
【図４】同クリーニング方法による排水管の分岐管部分を拡大して示した説明図である。
【図５】同従来例によるクリーニング方法でクリーニングした後の分岐管部分を拡大した斜視図である。
【図６】同クリーニング方法による排水管の内部にエポキシ樹脂の塗膜を形成させた場合の分岐管部分を拡大して示した説明図である。
【符号の説明】
１　配水管
２　縦配管
３　分岐管
４　横配管
５　継手管
６　接続管
６ａ　清掃口
７　ホース
８　逆噴射ノズル
９　孔
１０　エポキシ樹脂塗膜
１１　耐圧ホース
１２　内側チューブ
１３　ブレード層
１４　外側チューブ
１５　正噴射ノズル
１６　横主管
【図１】
2004116137.tif 000003
【図２】
2004116137.tif 000004
【図３】
2004116137.tif 000005
【図４】
2004116137.tif 000006
【図５】
2004116137.tif 000007
【図６】
2004116137.tif 000008
【手続補正書】
【提出日】平成14年10月1日(2002.10.1)
【手続補正１】
【補正対象書類名】明細書
【補正対象項目名】全文
【補正方法】変更
【補正の内容】
【特許請求の範囲】
【請求項１】高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、
前記縦配管は、最上部階層から最下部階層までホースを挿入して、正噴射ノズルから高圧水を噴射させて最下部階層から順次最上部階層に向かってクリーニングし、
各階層毎に前記縦配管に近い順に前記横配管を分岐管をわずかに越えた部分までを逆噴射ノズルから高圧水を噴射させてクリーニングし、
各階層は、最下部階層から順次最上部階層に向かってクリーニングすること
を特徴とする高層集合住宅等の建物における排水管のクリーニング方法。
【請求項２】前記ホースには、ポリウレタンからなる内側チューブと外側チューブとの間に、繊維のブレード層を有する耐圧ホースを使用すること
を特徴とする請求項１に記載の排水管のクリーニング方法。
【発明の詳細な説明】
【０００１】
【発明の属する技術分野】
本発明は、例えば、マンション等の高層集合住宅等の建造物の内部に配管されている排水管の内部をクリーニングする方法に関するものである。
【０００２】
【従来の技術】
従来、この種の高層集合住宅においては、建物の内部に配管されている排水管の内部を周期的にクリーニングすることが要求されている。この場合の排水管１は、最下部階層から最上部階層まで垂直に配管された縦配管２と、各階層毎に縦配管２から分岐管３を介して横配管４が配管されており、該横配管４に継手管５及び接続管６を介してそれぞれ、例えば、台所のシンクタンク又は洗面所の洗面ボール等の設備が取り付けられている。なお、図示していないが、それぞれの設備は排水トラップを介して取り付けられている。
【０００３】
排水管１のクリーニング作業は、一般的に、図３に示したように、各階層毎に横配管４に接続されている設備の分岐管３に一番近い位置にある設備の排水トラップを取り外して接続管６の開口部を清掃口６ａとし、該清掃口６ａから清掃用具を進入させ、階下の横配管の分岐点までの縦配管２の長さＸを清掃し、順次遠い位置にある設備の排水トラップを取り外して同様に清掃し、横配管４の長さＹを清掃するようにしている。
【０００４】
この場合の清掃用具は、長尺のホース７と、該ホース７の先端部に取り付けられた逆噴射ノズル８とからなるものであり、清掃口６ａから逆噴射ノズル８を挿入しその逆噴射ノズル８の噴射口から高圧の水を噴射させることにより、その高圧の噴射水によって前記ホース７が前進すると共に、高圧の噴射水によって横配管４及び縦配管２の内部に付着している汚れを落としてクリーニングするものである。
【０００５】
このように各階毎に横配管４から縦配管２の階下の分岐点までを順次クリーニングするものであって、このようなホースの先端に逆噴射ノズルを取り付けたクリーニング装置は公知になっている。
例えば、ホースの先端に逆噴射ノズルを取り付け、該ノズルの先端に柄の部分を介して駒支持球を連結し、該駒支持球に複数の中間駒を連接させて配設し、更に中間駒の先端部に先端駒を配設し、これら中間駒と先端駒とを回転自在にした誘導駒を用いた管内洗浄装置である（特許文献１参照）。
【０００６】
また、排水管の内部をクリーニングする場合には、高圧力の水を噴射させなければならないために膨らみを防止すること及び排水管における分岐点での引っ掛かり等を避けるためにホースを捻ったりしてコントロールしなければならないことから、ホース又はチューブに適度の剛性をもたせなければならない。そのためにホース又はチューブの外周面にステンレス線を網代網みした補強材が配設されたブレードホースを使用している（特許文献２参照）。
【０００７】
【特許文献１】
実公昭５９−３９５１１号公報（第１頁）
【特許文献２】
登録実用新案第３００３２９２号公報（第２頁、図１）
【０００８】
【発明が解決しようとする課題】
しかしながら、この種の排水管１には、一般的に、鋼管または硬質の塩化ビニル管を使用しているため、図４に示したように、排水管１は縦配管２と横配管４とからなっており、両者における分岐点、即ち、分岐管３のような曲がり部においては、ホース７自体が剛性を有すること、更にホース７の内部に高圧力の水が導入されているので、前記ホース７が直線状になろうとするため剛性が更にアップし、分岐管３の内側とホース７との当接圧が高くなるのであり、その当接圧が高い状態で分岐管３の内側とホース７とが擦れることにより、該ホース７の網代網みしたステンレス線によって、図５に示したように、その分岐管３の内側の一部が削り取られて孔９が開いてしまうという問題点を有する。
【０００９】
また、図６のように、例えば、クリーニング後に排水管１の内部にエポキシ樹脂を塗布して、エポキシ樹脂の塗膜１０を形成させることによって、小さい孔であれば、塗膜１０によって埋めることはできるが、次のクリーニング作業によって、更に、塗膜１０も一緒に削り取られてしまい、分岐管３の曲がり部の内側に塗膜１０では埋められない程の大きな孔９が開いてしまう（図６参照）。
【００１０】
このように、排水管１に孔９が開いた状態で使用し続けた場合には、該孔９から排水が漏れ出してしまうことになるが、排水管１は、建物の内部に配管されているため、前記孔９が開いていることを気づかないで使用し続け、漏れ出した排水が各階層における駆体面から階下に漏れ出して大変な事態になる。
【００１１】
更に、従来例で使用されている清掃用具は、ホース７の先端に逆噴射ノズル８が設けられたものを使用しており、階下側の横配管４から縦配管２にホース７を挿通してクリーニングを行っているが、縦配管２の汚れが著しいと、逆噴射ノズル８からの高圧水の噴射で、その逆噴射ノズルよりも上部の縦配管２内の圧力が高くなり、上層階の各設備における排水トラップの封水が破れて、上層階においては室内に悪臭が漏れるという不都合がある。
【００１２】
従って、従来の排水管をクリーニングする方法としては、分岐管の曲がり部の内側がホースによって傷つけられまたは削り取られることを防いで、分岐管の曲がり部の内側に孔が開かないようにすること、及び清掃中に上層階における封水が破れないようにすることに解決しなければならない課題を有している。
【００１３】
【課題を解決するための手段】
上記した従来例の課題を解決する具体的手段として本発明においては、高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、前記縦配管は、最上部階層から最下部階層までホースを挿入して、正噴射ノズルから高圧水を噴射させて最下部階層から順次最上部階層に向かってクリーニングし、各階層毎に前記縦配管に近い順に前記横配管を分岐管をわずかに越えた部分までを逆噴射ノズルから高圧水を噴射させてクリーニングし、各階層は、最下部階層から順次最上部階層に向かってクリーニングすることを特徴とする高層集合住宅等の建物における排水管のクリーニング方法を提供するものである。
【００１４】
上記発明において、前記ホースには、ポリウレタンからなる内側チューブと外側チューブとの間に、繊維のブレード層を有する耐圧ホースを使用することを付加的な要件として含むものである。
【００１５】
本発明に係る排水管のクリーニング方法は、まず、縦配管を最下部階層から最上部階層まで正噴射ノズルから高圧水を噴射させてクリーニングし、次に各階層毎に横配管を逆噴射ノズルから高圧水を噴射させて最下部階層から順にクリーニングすることによって、清掃中において各設備の封水を破って悪臭がもれることなく、しかも、縦配管と横配管の接続部分である分岐管の曲がり部分の内側を削り取ったりすることなくクリーニングできるのである。
【００１６】
また、ポリウレタンからなる内側チューブと外側チューブとの間に、繊維のブレード層を有する耐圧ホースを使用することによって、従来と同様のクリーニング方法であっても、排水管をホースによって傷つけることを防ぐことができるのである。
【００１７】
【発明の実施の形態】
次に、本発明を具体的な実施の形態に基づいて詳しく説明する。なお、理解を容易にするため従来例と同一部分には同一符号を付して説明する。
本発明に係る排水管のクリーニング方法は、図１に示したように、高層集合住宅等における建物の内部に配管された排水管１は、縦配管２と各階層毎に分岐管３を介して配管された横配管４とからなるものであって、該横配管４に継手管５及び接続管６を介してそれぞれ、例えば、台所のシンクタンク又は洗面所の洗面ボール等の設備が取り付けられている。なお、図示していないが、それぞれの設備は排水トラップを介して取り付けられている点は従来例と同様である。
【００１８】
このような排水管１に対するクリーニング作業は、まず、縦配管２の最上部階層側から最下部階層まで清掃用具を挿入させ、縦配管２の最下部側から順に清掃するのである。この場合に使用される清掃用具は、前記従来例と同様に長尺の耐圧ホース１１であって、該耐圧ホース１１の先端部には正噴射ノズル１５が取り付けられており、該正噴射ノズル１５から縦配管２の壁面に向けて斜め下方に高圧水を噴射させながら順次引き上げることによって最下部側から順に清掃する。このように縦配管２の下方部分から汚れを落とし、且つ、高圧水が斜め下方に向けて噴射されるので、洗浄水と共に落ちた汚れがスムーズに流下して横主管１６から汚水升（図示せず）を介して排出され、縦配管２内の圧力は高くならないので、各階層における設備の封水が破られることはないのである。なお、横主管１６は、予め外部の汚水升側から清掃しておくことはいうまでもない。
【００１９】
次に、最下部階層の横配管４から清掃を行う。この場合に、分岐管３から一番近い位置にある接続管６の開口部６ａから清掃用具を分岐管３をわずかに越える位置（図示は途中）まで進入させて清掃し、次に二番目に近い接続管６の開口部６ａから清掃用具を同様に進入させて清掃し、順次同様にして、最後に一番遠い位置にある接続管６の清掃口６ａから清掃用具を進入させて分岐管３をわずかに越える位置まで清掃する。この場合に使用される清掃用具は、前記従来例と同様に長尺の耐圧ホース１１であるが、後述するようにホース自体の構成が相違し、且つその耐圧ホース１１の先端部には逆噴射ノズル８が取り付けられており、逆噴射ノズル８からの噴射圧によって汚れを除去しながら進入させるものである。
【００２０】
この場合に、汚れの排出を考慮した時に、最下部階層側から順次清掃作業を行った方が良い。しかしながら、上記したように、既に縦配管２の汚れが除去されているので、最上部階層の横配管４側から順次清掃作業を行っても、縦配管２から汚れが速やかに流下して外部に排出されるのである。いずれにしても、横配管４と縦配管２とを別工程で清掃することによって、分岐管３を傷めることなく効率よく清掃することができる。
【００２１】
使用される清掃用具は、前記従来例と同様に長尺のホースを使用するものであるが、本発明のホースは耐圧ホース１１であって、該耐圧ホース１１の先端部に取り付けられた正噴射ノズル１５または逆噴射ノズル８とからなるものであり、縦配管２の清掃は、正噴射ノズル１５を取り付けた耐圧ホース１１を最上部階層における上端の清掃口から最下部の横主管１６まで挿入した後に高圧水を噴射しながら上方に引き上げて清掃し、横配管４については、各清掃口６ａから逆噴射ノズル８を挿入しその逆噴射ノズル８の噴射口から高圧水を噴射させることにより、その高圧の噴射水によって前記耐圧ホース１１が前進すると共に、高圧の噴射水によって横配管４の内部に付着している汚れを落としてクリーニングするものである。
【００２２】
この耐圧ホース１１は、図２に示したように、ポリウレタンからなる内側チューブ１２の外側に、繊維を編んで形成したスーパー繊維ベクトランブレードを巻き付けてブレード層１３にし、該ブレード層１３の外側にポリウレタンからなる外側チューブ１４を一体的に設けたものである。
【００２３】
このように、耐圧ホース１１は、ポリウレタンからなる内側チューブ１２と外側チューブ１４との間にブレード層１３を有することから、耐圧性が高いので、高圧力の水を送水しても膨らんだり破裂することはないのである。
【００２４】
更に、耐圧ホース１１の外側チューブ１４が、ポリウレタンであるので軟らかく且つ表面が滑面であるため、排水管１の分岐管３または継手管５の曲がり部の内側と当接しても、滑りやすくスムーズに進入するようになり、分岐管３または継手管５を耐圧ホース１１によって傷つけることがないのである。
【００２５】
また、耐圧ホース１１は、ブレード層１３が存在することで適度の硬度または剛性を有しており、排水管１の内部に進入させた状態で捻ったり揺すぶったりすることができ、例えば、逆噴射ノズル８が分岐管３等に引っ掛かったりした時等に、清掃口６ａ側で操作して引っ掛かりを外すことができるのである。
【００２６】
【発明の効果】
以上説明したように、本発明に係る高層集合住宅等の建物における排水管のクリーニング方法は、高層集合住宅における建物の内部に配管された縦配管と各階層毎に分岐管を介して配管された横配管とからなる排水管の内部にホースを進入させ、該ホースの先端に配設した噴射ノズルから高圧力の水を噴射させて、排水管の内部をクリーニングする方法であって、前記縦配管は、最上部階層から最下部階層までホースを挿入して、正噴射ノズルから高圧水を噴射させて最下部階層から順次最上部階層に向かってクリーニングし、各階層毎に前記縦配管に近い順に前記横配管を分岐管をわずかに越えた部分までを逆噴射ノズルから高圧水を噴射させてクリーニングし、各階層は、最下部階層から順次最上部階層に向かってクリーニングするようにしたことによって、特に、横配管の清掃において、ホースが横配管の接続部分である分岐管の曲がり部分の内側に擦れるのを極力減少させることができ、それによって、曲がり部分の内側を削り取ったりすることなくクリーニングできるという優れた効果を奏する。
【００２７】
また、縦配管は、最下部階層から順次最上部階層に向かって正噴射ノズルを使用して最初にクリーニングされ、且つ高圧水を下方に向かって噴射することによって、縦配管内の排水の流れが最下部階層から順次スムーズに行われるようになることから、清掃中に上層階における封水が破れないのであり、上層階における悪臭の漏れが解消されるという優れた効果を奏する。
【００２８】
更に、清掃用具のホースとして、ポリウレタンからなる内側チューブと外側チューブとの間に、繊維のブレード層を有する耐圧ホースを使用することにより、該耐圧ホースが横配管の接続部分である分岐管の曲がり部分の内側に擦れても、その曲がり部分の内側を削り取ったり傷つけたりすることなくクリーニングすることができるという優れた効果を奏する。
【図面の簡単な説明】
【図１】本発明に係るクリーニング方法の実施の形態を略示的に示した排水管の説明図である。
【図２】同クリーニング方法に使用される清掃用具の耐圧ホースの構成を略示的に示した斜視図である。
【図３】従来技術に関する排水管のクリーニング方法を示す説明図である。
【図４】同クリーニング方法による排水管の分岐管部分を拡大して示した説明図である。
【図５】同従来例によるクリーニング方法でクリーニングした後の分岐管部分を拡大した斜視図である。
【図６】同クリーニング方法による排水管の内部にエポキシ樹脂の塗膜を形成させた場合の分岐管部分を拡大して示した説明図である。
【符号の説明】
１　排水管
２　縦配管
３　分岐管
４　横配管
５　継手管
６　接続管
６ａ　清掃口
７　ホース
８　逆噴射ノズル
９　孔
１０　エポキシ樹脂塗膜
１１　耐圧ホース
１２　内側チューブ
１３　ブレード層
１４　外側チューブ
１５　正噴射ノズル
１６　横主管